(57)【要約】【課題】本発明は、階段用付加ブロックに関するものであり、階段のステップを前後及び上下に半歩ずらした形にすることで昇降を容易にすることができる階段を、既存の階段を利用して容易に形成する為に取り付ける階段用付加ブロックに関するものである。特にブロック自体の製作を容易にすることで、階段の改造費用を大幅に削減することができる階段用付加ブロックを提供することにある。【解決手段】２種類のブロックで構成されるものであり、第１、第２のブロックを６個の平面で形成された中空状とし、夫々のブロックを３面の交点を含む上下２個の部材に分割し、夫々を位置決めピンと位置決め穴で結合可能とし、下側部材に既存の階段の踏面に固定すべき取り付け穴を設けた階段用付加ブロックを提供する。 【選択図】図１
2014206014.tif 000002
【特許請求の範囲】
【請求項１】
２種類のブロックで構成されるものであり、第１のブロックの奥行き寸法は、既存の階段の踏面２の半分であり、高さ寸法は既存の階段の蹴上げ部と同寸法である。第２のブロックの奥行き寸法は、既存の階段の踏面と同寸法であり、高さ寸法は既存の階段の蹴上げ部の半分である。第１、第２のブロックを既設の階段の手摺付近の踏面に取り付けるごとくなしたことを特徴とする階段用付加ブロック。
【請求項２】
２種類のブロックで構成されるものであり、第１のブロックの奥行き寸法は、既存の階段の踏面２の半分であり、高さ寸法は既存の階段の蹴上げ部と同寸法である。第２のブロックの奥行き寸法は、既存の階段の踏面と同寸法であり、高さ寸法は既存の階段の蹴上げ部の半分である。第１、第２のブロックを６個の平面で形成された中空状とし、夫々のブロックを３面の交点を含む上下２個の部材に分割し、夫々を位置決めピンと位置決め穴で結合可能とし、下側部材に既存の階段の手摺付近の踏面に固定すべき取り付け穴を設けたことを特徴とする階段用付加ブロック。
【発明の詳細な説明】
【技術分野】
【０００１】
本発明は、建築物及び通路における階段に関するものであり特にステップの高さを半分にして上り下りを容易にするために階段に取り付ける階段用付加ブロックに関するものである。
【背景技術】
【０００２】
現在の建物および通路における階段は、その段差（蹴上げ）が１８ｃｍ程度、踏面の奥行きが２６ｃｍ程度のものが多い。専有面積が制限される個建ての屋内階段においては踏面の奥行き寸法を１５ｃｍとしたものもある。また、スポーツ施設の観客席などでは段差（蹴上げ）が２２ｃｍ程度のものもある。健康な人には問題はないかもしれないが足腰の弱い高齢者などでは屋内階段の日々の昇降等にかなりの負担を感じるものである。しかし、踏面の奥行き寸法を変えずに段差（蹴上げ）を低くすることは階段の傾斜を緩くすることであり、建物及び通路における階段が長くなり実施不可能な場合が多い。一方階段の変わりにエスカレータを取り付けることは利用者が多い通路等の場合には有効であるが、通行人が少ない通路や個人住宅などでは経済的な負担が大きく、有効な対策とはなりえない。
【先行技術文献】
【特許文献】
【０００３】
【特許文献１】特開２００５-７６４３２公報
【特許文献１】特開２００２-２０１７７８公報  代表的な対策技術としては上記文献が示すとおり階段の構造を左右の足で踏むステップを半歩ずらした形にすることが提案されている。前者はその段差（蹴上げ）の高さ位置を半歩文ずらすとともに、踏面の奥行き位置も半歩文ずらして昇降しやすく考慮している。後者は踏面の奥行き位置も半歩文ずらす事はないが、踏面を折畳式として既設の状態へ戻すことも可能にしている。
【０００４】
しかるに、実際的には既存の階段を改造することが必要となるものであり、前者の方式では階段の一部を切り取るなどの工事が必要となり、かなり経済的な負担が大きくなる。また、後者は踏面の奥行き位置を半歩文ずらす事がないために昇降時に前後左右に体が揺れることになり、転倒事故が発生する可能性がある。したがって既存の階段をできるだけ安価に前者の方式に改造できる方法が強く求められている。
【発明の概要】
【発明が解決しようとする課題】
【０００５】
本発明が解決しようとする課題は、階段のステップを前後及び上下に半歩ずらした形にすることで昇降を容易にすることができる階段を、既存の階段を利用して容易に形成する為に取り付ける階段用付加ブロックに関するものである。特にブロック自体の製作を容易にすること、運搬時にコンパクトに重ね合わせることを可能として運搬コストを削減でき、更に取り付けを容易にすることで工事費を削減し、結果的に階段の改造費用を大幅に削減することができる階段用付加ブロックを提供することにある。
【課題を解決するための手段】
【０００６】
本発明の上記課題を解決するための手段は、２種類のブロックによるものであり、第１のブロックの奥行き寸法は、既存の階段の踏面２の半分であり、高さ寸法は既存の階段の蹴上げ部と同寸法である。第２のブロックの奥行き寸法は、既存の階段の踏面と同寸法であり、高さ寸法は既存の階段の蹴上げ部の半分である。第１、第２のブロックを６個の平面で形成された中空状とし、夫々のブロックを３面の交点を含む上下２個の部材に分割し、夫々を位置決めピンと位置決め穴で結合可能とし、下側部材に既存の階段の踏面に固定すべき取り付け穴を設けた階段用付加ブロックを提供することにある。
【発明の効果】
【０００７】
本発明の効果は、２種類のブロックを６個の平面で形成された中空状にすることで、木材形成形樹脂及び金属鋳物で製作する場合にブロック自体の製作を容易にすることで安価に製作できるものとし、該ブロックを形成する３面の交点を含む上下２個の部材に分割することで、運搬時にコンパクトに重ね合わせることを可能として運搬コストを削減でき、更に取り付けを容易にすることで工事費を削減し、取り付けボルトが見えないようにする目隠し効果も有し、結果的に階段の改造費用を大幅に削減することができることである。
【図面の簡単な説明】
【０００８】
【図１】図１は本発明の階段用付加ブロックの使用状態を示す斜視図である。
【図２】図２は本発明の階段用付加ブロックの構造を示す分解斜視図である。
【図３】図３は本発明の階段用付加ブロックの裏面を示す部分斜視図である。
【図４】図４は本発明の階段用付加ブロック積み重ね状態を示す斜視図である。
【発明を実施するための形態】
【０００９】
本発明の階段用付加ブロックをその機能を損なわない範囲で簡略化して実現するための実施形態を示す。
【実施例】
【００１０】
図１は、本発明の階段用付加ブロックの使用状態を示す斜視図、図２は本発明の階段用付加ブロックの構造を示す分解斜視図、図３は本発明の階段用付加ブロックの裏面を示す部分斜視図である。
図１、図２及び図３において、１は既存の階段であり、２はその踏面、３は蹴上げ部を示す。第１の上部部材４と第１の下部部材５で構成する第１のブロック６の奥行き寸法は階段１の踏面２の半分であり、高さ寸法は蹴上げ部３と同寸法である。第１の上部部材４には複数の位置決めピン７を植設してあり、と第１の下部部材５には該位置決めピン７に対応する位置に複数の位置決め穴８と取り付け穴９を設けている。また、第２の上部部材１０と第２の下部部材１１で構成する第２のブロック１２の奥行き寸法は階段１の踏面２と同寸法であり、高さ寸法は蹴上げ部３の半分である。第２の上部部材１０には複数の位置決めピン１３を植設してあり、第２の下部部材１１には該位置決めピン１３に対応する位置に複数の位置決め穴１４と取り付け穴１５を設けている。１６は既存の階段１に設けられた手摺である。
［作用］
【００１１】
上記実施形態に示す本発明の階段用付加ブロックの作用について説明する。既存の階段１の手摺１６に近い側に第１の上部部材４と第１の下部部材５で構成する第１のブロック６を踏面２上に蹴上げ部３に接するごとく置き、取り付け穴９に図示しないボルトを用いて既存の階段１に取り付けける。同じ踏面２上に蹴上げ部３に接するごとく第２の上部部材１０と第２の下部部材１１で構成する第２のブロック１２を蹴上げ部３に接するごとく置き、取り付け穴１５に図示しないボルトを用いて既存の階段１に取り付ける。この状態で第１の上部部材４は複数の位置決めピン７に対応する複数の位置決め穴８との係合によって第１の下部部材５に固定され、図示しない取り付けボルトは外見から隠されて目障りになることはない。また、第２の上部部材１０は複数の位置決めピン１３に対応する複数の位置決め穴１４との係合によって第２の下部部材１１に固定され、図示しない取り付けボルトは外見から隠されて目障りになることはない。第１の上部部材４と第１の下部部材５及び第２の上部部材１０と第２の下部部材１１は形状的に屋内用であれば木質系の樹脂材料で成型加工することが望ましく、屋外用であれば鉄鋳物で製造されることが望ましい。既存の階段との寸法合せは最小限の面積の機械加工によって行うことが出来る。このような製造方法で安価に製作することが可能である。ただし、デザイン状の理由などで石材やコンクリートなどでブロックを製作することを排除するものではない。
【００１２】
図４は本発明の階段用付加ブロックの第１の上部部材４を積み重ねた状態を示す斜視図である。下部部材５を積み重ねた状態もほぼ同様のものとなる。図４から解るように中空構造の第１のブロック６は上部部材４と第１の下部部材５に分けることによってコンパクトに重ね合わせることが出来、運搬時のコストを大幅に低下させることができる。以上の説明は第２のブロック１２を構成する第２の上部部材１０と第２の下部部材１１においても同様であることは云うまでもない。
【産業上の利用可能性】
【００１３】
上記のごとく構成された階段用付加ブロックは木質成形樹脂や鋳物によって製作が容易であり、取り付けボルトを見苦しくなく隠すことが出来、コンパクトに重ね合わせることができることで運搬時のコストダウンが可能であるため、既存の階段を昇降が容易な階段に最小限のコストで変更することを可能にするものであり、これまで進まなかった高齢者対策を前進させ得るものであり、社会福祉的な効果は極めて著しい。
【符号の説明】
【００１４】
１    既存の階段
２    踏面
３    蹴上げ部
４    第１の上部部材
５    第１の下部部材
６    第１のブロック
７    位置決めピン
８    位置決め穴
９    取り付け穴
１０  第２の上部部材
１１  第２の下部部材
１２  第２のブロック
１３  位置決めピン
１４  位置決め穴
１５  取り付け穴
１６  手摺
【図１】
2014206014.tif 000003
【図２】
2014206014.tif 000004
【図３】
2014206014.tif 000005
【図４】
2014206014.tif 000006